(57)【要約】      （修正有）【課題】  従来、患者の生活の多様化に適応した治療具としてはいずれの治療具も難があり、患者本人のＱＯＬを考慮し、ツボの適格な把握による痛痒の解消と、ダイエットも可能とした手段を提供する。【解決手段】一方向電流整流素子２をその中央に具え、両極性端子より伸延した導線の外周表面を金などでメッキして円周を作り、身体電流の補捉プローブ３とした治療具１を要素とし、通気性の良い着脱自在にした帯状・可撓性のパットに複数個の治療具を配設して、ツボのある箇所の周辺を全て被覆するようにして、これらを痛痒部に緊縛させて成るサポータ付治療具である。【選択図】  図１
2007006915.tif 000002
【特許請求の範囲】
【請求項１】
一方向電流整流素子をその中央に配設し、
この一方向電流整流素子の両極性端子より伸延して導線の外周表面を金，銀，チタン，プラチナなどのいずれかの金属でメッキを施した線分のそれぞれを円形状に曲げ、
前記一方向電流整流素子をその中心として外延部周囲に周回する電流捕捉プローブを備え、
前記一方向電流整流素子と前記電流捕捉プローブから成る治療具を、柔軟性のある繊維質の緩衝材に開設した凹部に据え置き、
前記治療具を身体の患部に添付できる繊維質布、可撓性革板などから作るサポータの表面に固着させ、
前記治療具をさらに複数個設けるとともに、かつ前記治療具が直接患部に圧接できるようにして、
このサポータを帯状に形成し前記患部に緊縛して構成したことを特徴とするテープ付治療具。
【請求項２】
前記凹部の深さと前記柔軟性のある繊維質の弾力性について、前記患部の症状と配設する前記治療具の数に応じて変化させて成る
ことを特徴とする請求項１に記載のテープ付治療具。
【請求項３】
前記凹部に着脱自在な接着性部材を敷付けておき、前記治療具を自由に交換されるようにした
ことを特徴とする請求項１に記載のテープ付治療具。
【請求項４】
前記サポータの帯状両端を着脱自在な部材を配設し、前記患部に着脱自在にした
ことを特徴とする請求項１に記載のテープ付治療具。
【請求項５】
前記治療具に配設する前記一方向電流整流素子の整流極性の方向を、適宜にアットランダムに配置した
ことを特徴とする請求項１に記載のテープ付治療具。
【発明の詳細な説明】
【技術分野】
【０００１】
本発明は、身体各部の疼痛（肩こり、座骨神経痛、腰痛、膝の関節痛等）部に貼付すると鎮痛効果があるテープ付治療具に関する。
つまり、人体の筋肉の凝りあるいは痛み等の病的症状に対応し、患部の生体電流、生体電磁波を捕捉抽出し、これらを流通する電流が一方向に整流され導通短絡され、その病変を軽快にするテープ付治療具に係る。
【背景技術】
【０００２】
たとえば、先ず身体の各部の凝りや痛みを治療する手段としては、湿布、マッサージ、鍼灸等が知られているが、これらはいずれも患部の血行を良好にして前記症状を和らげようとするものがある。
また、近時において治療手段を持つ技術として開示された文献として、前述した実公昭52-131837 号公報( 不定愁訴治療部材) 、特開平5-154205号公報( 治療具) 、特開平8-117348号公報( 健康、医療用コイル) 、特開昭62-38178号公報( 皮膚刺激子) などが見られる。
【特許文献１】特開平１０−１７４７２２号公報  発明も名称  治療具及びテープ付治療具  この特許文献は最も近い特許文献である。その要旨は、「一方向電流整流素子と、該素子の周囲に設けられた電流補足プローブとを有して構成された治療具であって、一方向電流整流素子の両端子は、電流補足プローブを介して電気的導通状態に連結接続され、この一方向電流整流素子と電流補足プローブが一体となった治療具は、例えば絆創膏で表面に通気孔を持つ片面が粘着性のテープによって患部皮膚表面に一方向電流整流素子及び電流補足プローブさらには一方向電流整流素子の皮膚当接側に設けた凸部を押圧装着される構成である。」しかしながら、これは治療具の身体への装着などに難点が発生することがあり、いま一つ治療技術に足らない治療具とも評価される。
【非特許文献１】著者        吉元昭治、  書籍名      ダイオード療法    （副題弱電効果応用ペインコントロール）  発行所      エンタプライズ株式会社  発行年月日  １９９４年１１月１５日  この文献において主に参考とされる箇所は、「第５章ＭＰ鍼，イオンパンピング療法，第６章ＳＳＩ(Skin Surface Instruments 療法，皮膚表面治療器具）と微小刺激，弱電現象、第７章ダイオード療法」であると考える。  さらに遡及すれば、８００ガウス前後の磁力を発生する金属粒を患部に張り付ける方法もある。これは、磁力が患部を刺激して、血液中のイオンの流れに磁場を与え、血液の循環をスームズにするものがある。  そうして、血行不良を生じる原因は様々なものがあると考えられ、所謂生体から発生する電磁波に伴う生体電流の異常もその一つと推認され、生体電流の異常を改善するため、生体電流整流療法が知られている。
【発明の開示】
【発明が解決しようとする課題】
【０００３】
しかしながら、これまでの手段では、いずれも患者の生活の多様化に適応した治療具としては難があって、適切かつ効果的であるとは言えず、治療効果（成績）の上昇を図る上で今一つ欠落する機能であった。
そこで本発明は、これらの現況に鑑み、患者本人のＱＯＬ（Quality Of Life 生活の性質）を格段に向上させながら、適格に患部の疼痛を和らげ、美容的ダイエット効果等を含むようにして、活発な生活活動を続行しながらも、長時間（長期間）の治療を可能とし、明らかに治療効果が従前の治療手段に比較し、遙に向上するようにしたテープ付治療具を提供することをその目的とする。
【課題を解決するための手段】
【０００４】
前記目的を解決するための手段として、請求項１記載の本発明は、一方向電流整流素子をその中央に配設し、この一方向電流整流素子の両極性端子より伸延して導線の外周表面を金，銀，チタン，プラチナなどのいずれかの金属でメッキを施した線分のそれぞれを円形状に曲げ、前記一方向電流整流素子をその中心として外延部周囲に周回する電流捕捉プローブを備え、前記一方向電流整流素子と前記電流捕捉プローブから成る治療具を、柔軟性のある繊維質の緩衝材に開設した凹部に据え置き、前記治療具を身体の患部に添付できる繊維質布、可撓性革板などから作るサポータの表面に前記固着させ、前記治療具をさらに複数個設けりとともに、前記治療具が直接患部に圧接できるようにして、このサポータを帯状に形成し前記患部に緊縛して構成したことを特徴とするテープ付治療具である。
請求項２記載の本発明は、前記凹部の深さと前記柔軟性のある繊維質の弾力性について、前記患部の症状と配設する前記治療具の数に応じて変化させて成ることを特徴とする請求項１に記載のテープ付治療具である。
請求項３記載の本発明は、前記凹部に着脱自在な接着性部材を敷付けておき、前記治療具を自由に交換されるようにしたことを特徴とする請求項１に記載のテープ付治療具。
請求項４記載の本発明は、前記サポータの帯状両端を着脱自在な部材を配設し、前記患部に着脱自在にしたことを特徴とする請求項１に記載のテープ付治療具である。
請求項５記載の本発明は、前記治療具に配設する前記一方向電流整流素子の整流極性の方向を、適宜にアットランダムに配置したことを特徴とする請求項１に記載のテープ付治療具である。
【発明の効果】
【０００５】
従来の治療技術が単に極性の方向のみを重視していたり、単にパットでの患部への治療具の貼付であったりで、それらの治療効果の向上には時間と成果の飛躍に少なからずの障壁があったと考えるのも、あながち誇張ではないように思われる。
ここにおいて本発明者らは、これまでの治療手法の発想からの障壁を乗り越えて、身体の痛痒の因って生起する身体系統のツボを外れなく補捉でき、かつ身体の活動の拠点となる手足、つまり腕部，脚部，腰部などいかなる痛痒箇所に、確実に治療具を着脱自在に装着可能にし、全く健康な通常な生活を補償しながら、痛痒箇所の回復・軽快に寄与でき、しかも肥満体質についてもダイエット効果をもたらすようにして成るテープ付き治療具と言える。
【０００６】
人体細胞は音、熱、光、血液の変化、温度変化等が人体に加えられると、これが刺激となって細胞活動が活発になり、生体電流、生体電磁波を発し健康時の単一細胞電圧は−９０ｍＶ、外的刺激を受けると瞬間的（２／１００sec)で＋２０ｍＶ程度まで上昇、その後もとの状態に戻るので、この現象を細胞群でみれば特定の細胞に＋１１０ｍＶの電圧変動が生じたときに、隣接した細胞にそれが伝達されるから、たとえば１０個の細胞を集めると＋１１００ｍＶで１．１Ｖの異常電圧を発生となり、この異常電圧が肩凝りや腰痛時の原因、つまり痛痒となっているから、この血行不良を解決すれば、患部の治療が可能になる。
そこで、本発明者らは、先の細胞群からこの異常電圧を捕捉することで治療効果を創出するとともに、治療具を患部に貼り付けることに、特別の手法を採用し、患部を押圧しながら、かつ身体を自由に活動させながらも、痛痒部の軽快回復とダイエット効果までももたらす、これまでに症例を見ない卓越したサポータ付治療具を医療現場に提供することができる。
【０００７】
このようにして、人体に治療具を貼付する部位はツボや疼痛点がよいと言われているが、ツボの場所は個人差があり、少しずつ異なることもあって、素人にはツボの位置を探すことは難しい。そこで、治療具を複数個装着したサポータを患部に緊縛することで、ツボに貼付できる可能性が高くなるのであり、今までの治療具の貼付手段としての粘着テープなどからなるパッチを使用して患部に貼付していたのでは、このパッチの欠点がいくつか指摘されて来たのである。つまり、パッチに治療具をセットすることが面倒であり、特に老人には負担であったし、蒸れてカブレ易いため、肌の弱い人は長時間装着できなかったし、入浴などの際に着脱する手間がかかっていたのである。そこで本発明は、サポータタイプに改良することでこれらの難点を全て克服し、パッチに治療具をセッットする必要がなくなり、通気性が改善されて、カブレ難くなり、治療具の遺失などもしにくくなり、着脱が容易になって、従来形式のこの種治療具に比し特段の治療効果の飛躍が認められる。
【発明を実施するための最良の形態】
【０００８】
以下、本発明の各実施の形態を図に基づいて詳細に説明する。
全ての図面において、同一符号は同一若しくは相当部材を示す。
本発明者らは、疼痛患者らの切実な悩みと、それらに対応する要望を数多く、アンケートを採り、生体電流及びそれによる生体電磁波などをつぶさに検討し、カット・アンド・トライを夥しく繰り返し、以下の実施例によって、理想的なテープ付治療具を具現することになる。
【実施例１】
【０００９】
図１は本発明の実施例１に係るサポータ付治療具を示す平面図で、図１(a) はその表面図、図１(b) はその裏面図、図１(c) は図１(a) の一部を示す図である。
図１に示すように治療具１は、一方向電流整流素子( たとえばダイオードなど) ２と、この一方向電流整流素子１の両極極性端子から伸延させて一方向電流整流素子２の周囲を円形に囲んだ電流捕捉プローブ３から形成される。
そして複数個の治療具１は、緩衝材から成る緩衝シート４の表面の長手方向にに、それぞれ設けられた凹部4aに適宜の間隔を保って配設されている。この緩衝シート４は身体に治療具１を密着させ自由な身体の運動にも離脱しないように保持する長方形のサポータ５に縫綴して固着されており、サポータ５の長手方向の両端部には、その裏表端末を着脱自在に結合させる粘着部材6a,6b が固着されていて、両粘着部材6a,6b を係合すれば、長時間の密着保持も可能である。
治療具１における一方向電流整流素子１は金などが鍍金されており、一方向電流整流素子１が補捉する生体電流の多寡に応じて適当に方向を変化さる、つまりプローブ端末3a,3b 〔後掲の図３参照〕の位置を適宜変位させるとよい。
【実施例２】
【００１０】
図２は、本発明の実施例２としてのサポータが長大な形状にされたサポータ付治療具を表す平面図で、図2(a)はその表面に治療具を１列に配設した形状図、図２(b) はその表面に治療具を２列に配設した形状図を示す。
このような形態のサポータ付治療具は、身体の腰部，太股部などの治療に適する。
緩衝シート４に上に配設される治療具１の列の数、各列の個数は疼痛の症状に適応して処方される。
【００１１】
図３は、本発明に係る治療具の詳細を示す斜視図である。
緩衝シート４に開孔された素子挿入用凹部4aは、疼痛の程度を考慮して埋め込まれる一方向電流整流素子１の深さを調節する。
凹部4aの底面には着脱自在な接着部材を敷つめるのもよい。
また、プローブ端末の位置も微妙に変位させて人体電流の補捉に変化を来すようにもしている、すなわち、図１，図２ではそれらの配列は整然と配列させているが、状況に応じてアットランダムに配置した方が良い場合もある。
【００１２】
図４は、本発明になる治療具とその近傍における生体電流の解析図である。
その詳細を説明すれば次の通りである。
たとえば、治療具１のプローブ３のプローブ端末3a側がプラス電位になった瞬間を考える。生体電流の中で治療具１に流入する治療電流ｉs1は、ダイオード２を順方向にわずかのダイオード順方向抵抗Ｒd を経て整流されてダイオード電流ｉ2 は流れるけれども、サポータ４の緊縛による両プローブ３が圧縮されて相互の表面に接触が生じ、このプローブ接触抵抗Ｒ3a3bをへたプローブ接触電流ｉ3a3bが側流する。
【００１３】
しかし、ダイオード順方向抵抗Ｒd に比し、プローブ接触抵抗Ｒ3a3bははるかに大きい。従って治療電流ｉs1のほとんどはダイオード電流ｉ2 となって、ダイオード（一方向整流素子）２を流通することになる。
一方、両プローブ端末3a3bにおける生体皮膚表面近傍などを流れる表皮電流ｉs3は、両プローブ端末3a3b間における表面抵抗Ｒsab が甚だ大きいので、無視できるほど小さい。つまり、
Ｒd ≪Ｒ3a3b≪Ｒsab           であり、
ｉ2 ≫ｉ3a3b≫ｉs3
となる。
【００１４】
そして、両プローブ端末3a3b間における表面抵抗Ｒsab は、皮膚への付着圧力の多少によって変化し、可変抵抗といえる。
このようにして、両プローブ端末3a3bの間における生体電位差および生体表面抵抗Ｒsab ならびにプローブ接触抵抗Ｒ3a3bの変動に対応して、治療電流ｉs1、ｉs2( 両電流は勿論等しい）は変化しながら流通する。
図５は本発明になる治療具を身体の腕部，脚部にそれぞれ装着した状態図であり、図６は本発明の治療具を身体の腰部に緊縛した状態図を背部から見た図である。
このようにして、本発明に成る治療具１は生体皮膚表面への圧接が確実になされ、かつ神経系統のツボのいずれかに貼付される確率が大きいので、疼痛緩和効果の向上が大いに期待できることが一目して理解されるとともに、治療のやり方が日常生活に支障来すことのない、すなわちＱＯＬが少しも損なわれることない治療手段と言える。
【産業上の利用可能性】
【００１５】
ここで、半導体で形成されたチップ状の一方向性整流素子２を疼痛部に貼付すると鎮痛効果があることが臨床〔玉川大学工学部，青山大学理工学部，京都大学大学院社会医学院，福井県立大学）でも実証されている。「新しい試みとして、生体電流を補捉プローブ３を具えた一方向性整流素子２からなる治療具１を、身体のツボと思われる箇所に貼付して、身体のダイエット効果を確かめた。
【００１６】
その方法は次の通りである。
被験者として女子８名、男子２名の健康な成人を対象とし、倫理的な配慮を行い、インフォーマルな同意を得た上で、協力をしてもらい、実験期間は７日間で身体に治療具１を貼り続け実験を行った。治療具１はは厚さ１mm、長さ３mmの一方向性整流素子（半導体チップ）２に附属した金メッキ線の身体電流の補捉プローブ（コイル）３を直径９mmの円形として、半導体チップ２をその中心部に置いた円形チップ（治療具１）とした。この円形チップを１回につき、８個から一番多い人で３６個を使用した、被験者は一日中、身体に治療具１（チップ）を貼付し、かぶれを防ぐために毎回貼付場所を代えた。
【００１７】
さらに、貼付する場所と治療具１（半導体チップ）を貼った個数は被験者によって多少異なった。貼付した箇所は腹部、背中、足のダイエットに関係すると思われるツボである。
測定は体重、体脂肪、内臓脂肪、胴回り（ウエスト、リンパ下、お臍下）、足回り（太もも、膝上）の寸法について７日間で効果が現れた５名について検討した。治療具１（半導体チップ）を貼付する前と貼付を開始してから最もダイエット効果があると見られた最小値を抽出して、その違いをｔ検定で統計処理した。被験者については肥満タイプであるるかどうかの診断は行わない。かつ、食事は普通に食べてもらい、カロリーの計算は行わなかった。左足に治療具１（半導体チップ）４個を足のツボと思われる箇所に貼付して放射温度計を用いて、両足の皮膚温度の上昇経過を調べた。
【００１８】
その結果として、体重、内臓脂肪の変化は日数による変動は少なかった。体脂肪は比較的減少傾向が見られた。足回りの太ももの平均寸法が4.3 cm減少し、膝関節の上部の太さは経は平均寸法が2.7 cm減少し、いずれも有意（ｐ＜0.05）な減少がみられた。胴回りの寸法（ウエストで平均2.4cm 、リンパ下で平均５cm、お臍下で平均３cm）の減少が見られたが、有意差は得られなかった。手触りではセルライトの減少が見られなかった。右足の治療具１（半導体チップ）４個の貼付によって、足の部分的な皮膚の温度は貼付してから20分経過後に0.3 ℃上昇した。
【００１９】
このようにして、治療具１（半導体チップ）は体重の減少よりも、身体の胴回りや足回りを細めてくれる作用があり、ダイエット効果がることが示唆された。温度上昇により、脂肪の燃焼が良くなったのではないかと考えられる。」
さらに、２１世紀におけるリハビリテーション医療の位置づけの一こまとして、疼痛部門において福岡大学病院リハビリテーション部での成果の報告がある。  それは、「治療具１（半導体チップ）の鎮痛効果についての治療報告である。目的は、リハビリテーション医療を必要とする患者の多くは、身体各部の疼痛を有し、リハビリテーション施行時の障害となっているので、治療具１（半導体チップ）を疼痛部に貼付してその効果を判定することにある。
【００２０】
対象は、肩こり、腰痛を主とした各種の慢性疼痛患者92名( 年齢25〜82才、平均56才、男30名, 女62名）であり、内10名は同一形状のダミー品を使用したプラセボとした。
治験方法は、厚さ１mm、長さ３mmの一方向整流素子（ダイオード）２に附属したコイル・身体電流補足プローブ３を９mmの円形とし、ダイオード２ををその中心部に置いた円形の治療具１（半導体チップ）とした。
この治療具１を症状に応じて疼痛部に２〜数個貼付した。被験者の判定評価は、ビジュアル  アナログ  スケール(visual analog scale  ＶＡＳ方式）で０〜10までの目盛りを設定した。10を貼付前の状態とし、症状の消失を0 とし、数値による貼付後24時間後の改善変化を検査した。０〜3 …著しい有用性、4 〜6 …有用、７〜８…一応の有用性、９〜10…無効とした。
【００２１】
その結果として、０〜3 は17名(21 ％) 、4 〜6 は46名(56 ％) 、７〜８は13名(16 ％) であり、プラセボ10名は全て無効であった。また治療具１の貼付による副作用は認められなかった。
このようにして、93％の被験者に有用性が認められた。鎮痛のメカニズムとしては治療具１（半導体チップ）の一方向性整流素子２が疼痛部にに生じる生体電流の異常を調整すると思われている。鎮痛効果のあった被験者の疼痛部の血流は血流計で測定すると増加しており、圧痛部の筋硬度計で測定すると硬度の減少がみられた。疼痛治療の有用な手段のひとつとなりうるとおもわれたと」ある。
【００２２】
かくして本発明によれば、本発明者らは、先の細胞群からこの異常電圧を捕捉することで治療効果を創出するとともに、治療具を患部に貼り付けることに、特別の手法を採用し、患部を押圧しながら、かつ身体を自由に活動させながらも、痛痒部の軽快回復とダイエット効果までももたらす、これまでに症例を見ない卓越したサポータ付治療具を医療現場に提供することができる。
【００２３】
さらに言えば、人体に治療具を貼付する部位はツボや疼痛点がよいと言われているが、ツボの場所は個人差があり、少しずつ異なることもあって、素人にはツボの位置を探すことは難しいのを、治療具を複数個装着したサポータを患部に緊縛することで、ツボに貼付できる可能性が高くし、今までの治療具の貼付手段としてのパッチを使用した患部への貼付に代えて、患部に確実かつ複数個の治療具をセットすることが可能になり、特に老人への装着の負担をなくし、蒸れてカブレ易いこともなくなり、肌の弱い人でも長時間装着でき、入浴などの際に着脱する手間もなくなり、従来形式のこの種の治療具に比し、治療具の複数個の配置によるツボの確保と装着の容易さと患部の運動に支障がなくなり、自在な日常生活の中での治療が施行できＱＯＬの向上と、特段の治療効果の飛躍が認められる。
【図面の簡単な説明】
【００２４】
【図１】本発明の実施の形態１に係るサポータ付治療具を示す平面図で、図１(a) はその表面図、図１(b) はその裏面図、図１(c) は図１(a) の一部を示す図
【図２】本発明の実施の形態２としてのサポータが長大な形状にされたサポータ付治療具を表す平面図で、図2(a)はその表面に治療具を１列に配設した形状図、図２(b) はその表面に治療具を２列に配設した形状図
【図３】本発明の実施の形態に係る治療具の詳細を示す斜視図
【図４】本発明の実施の形態に係る治療具とその近傍における生体電流の解析図
【図５】本発明になる治療具を身体の腕部，脚部にそれぞれ装着した状態図図
【図６】本発明の治療具を身体の要部に緊縛した状態を背部から見た図
【符号の説明】
【００２５】
１  本発明の治療具（半導体チップ）
２  一方向整流素子（ダイオード）
３  プローブ（電流補捉素子）
3a,3b   プローブ端末  
４  緩衝シート
4a  素子挿入用凹部
５  サポータ
6a,6b   粘着部材
【図１】
2007006915.tif 000003
【図２】
2007006915.tif 000004
【図３】
2007006915.tif 000005
【図４】
2007006915.tif 000006
【図５】
2007006915.tif 000007
【図６】
2007006915.tif 000008